(57)【特許請求の範囲】
【請求項１】
光学デバイスの温度調節部品の温度に依存する抵抗を有する抵抗温度デバイス（ＲＴＤ）が定電圧源または定電流源に直列に接続され、かつ前記ＲＴＤに直列に基準抵抗が接続されている非較正モードにおいて、
前記ＲＴＤを通って、前記定電圧源または前記定電流源が出力する電気信号を伝播する段階と、
前記基準抵抗を通って前記電気信号を伝播する段階と、
前記基準抵抗の両端における第１の電圧を測定する段階と、
前記ＲＴＤの両端における第２の電圧を測定する段階と、
前記第１の電圧および前記第２の電圧に応答して、前記温度調節部品の温度を選択的に調整する段階と、を有し、
較正モードにおいて、
前記定電圧源または前記定電流源および前記基準抵抗が前記非較正モードにおける状態と実質的に同じ状態のまま前記電気信号が前記ＲＴＤを迂回すべく、前記ＲＴＤに換えて較正抵抗を前記定電圧源または前記定電流源に直列に接続し、かつ当該較正抵抗を前記基準抵抗に直列に接続する段階と、
前記電気信号が前記ＲＴＤを迂回した状態で、当該ＲＴＤの電圧を測定する段階と、
を有する、方法。
【請求項２】
前記定電圧源または前記定電流源が、前記非較正モードにおいて前記ＲＴＤおよび前記基準抵抗に対して同一の電流を伝える、請求項１に記載の方法。
【請求項３】
前記ＲＴＤの前記抵抗の値を、前記第１および第２の電圧の比に基づいて決定することにより、前記温度を調整する段階を更に備える、請求項２に記載の方法。
【請求項４】
前記第１および第２の電圧が、実質的に同時に測定される、請求項３に記載の方法。
【請求項５】
前記較正モードにおいて前記ＲＴＤの両端における前記第２の電圧を測定する段階が、
前記電気信号を前記較正抵抗を介して前記基準抵抗に伝える段階と、
電圧測定デバイスを用いて、前記電気信号による電流の実質的にどの部分も前記電圧測定デバイスを通して伝わらないように前記基準抵抗の両端における電圧を測定する段階と
を備える、請求項４に記載の方法。
【請求項６】
前記電圧測定デバイスが、アナログデジタル変換器を備える、請求項５に記載の方法。
【請求項７】
前記温度調節部品の前記温度が、調節可能なレーザ内で調節される、請求項１に記載の方法。
【請求項８】
前記温度調節部品が、光学フィルタを備える、請求項１に記載の方法。
【請求項９】
前記光学フィルタが、エタロンを備える、請求項８に記載の方法。
【請求項１０】
電気信号を出力する定電圧源または定電流源と、
非較正モードにおいて前記定電圧源または前記定電流源に直列に接続され、調節可能な光学デバイスの温度調節部品の温度に依存する抵抗を有する抵抗温度デバイス（ＲＴＤ）と、
前記ＲＴＤに直列に接続された基準抵抗と、
前記基準抵抗の両端における第１の電圧および前記ＲＴＤの両端における第２の電圧を計測する測定回路と、
前記第１の電圧および前記第２の電圧に応答して、前記温度調節部品の温度を選択的に調節する制御ユニットと、
較正モードにおいて、前記定電圧源または前記定電流源および前記基準抵抗が前記非較正モードにおける状態と実質的に同じ状態のまま前記電気信号が前記ＲＴＤを迂回すべく、前記ＲＴＤに換えて前記定電圧源または前記定電流源に直列に接続されかつ前記基準抵抗と直列に接続された較正抵抗と、を備え、
前記較正モードにおいて、前記測定回路が、前記電気信号が前記ＲＴＤを迂回した状態で当該ＲＴＤの電圧を測定する装置。
【請求項１１】
前記定電圧源または前記定電流源が、前記非較正モードにおいて前記ＲＴＤおよび前記基準抵抗に対して同一の電流を伝える請求項１０に記載の装置。
【請求項１２】
前記測定回路が前記ＲＴＤの前記抵抗の値を、前記第１の電圧および前記第２の電圧の比に基づいて決定し、当該結果を用いて前記制御ユニットが前記温度を調整する請求項１１に記載の装置。
【請求項１３】
前記測定回路が、前記ＲＴＤおよび前記基準抵抗における複数の電圧を実質的に同時に測定する、請求項１２に記載の装置。
【請求項１４】
前記測定回路が、アナログデジタル変換器を備える、請求項１０に記載の装置。
【請求項１５】
前記アナログデジタル変換器が、マルチポートアナログデジタル変換器である、請求項１４に記載の装置。
【請求項１６】
光受信器と、
光信号を前記光受信器へ送信する１つの光送信器と
を備え、前記光送信器が、
電気信号を出力する定電圧源または定電流源と、
非較正モードにおいて前記定電圧源または前記定電流源に直列に接続され、調節可能な光学デバイスの温度調節部品の温度に依存する抵抗を有する抵抗温度デバイス（ＲＴＤ）と、
前記ＲＴＤに直列に接続された基準抵抗と、
前記基準抵抗の両端における第１の電圧および前記ＲＴＤの両端における第２の電圧を測定する測定回路と、
前記第１の電圧および前記第２の電圧に応答して、前記温度調節部品の温度を選択的に調節する制御ユニットと、
較正モードにおいて、前記定電圧源または前記定電流源および前記基準抵抗が前記非較正モードにおける状態と実質的に同じ状態のまま前記電気信号が前記ＲＴＤを迂回すべく、前記ＲＴＤに換えて前記定電圧源または前記定電流源に直列に接続され、かつ前記基準抵抗と直列に接続された較正抵抗と、
を備え、
前記較正モードにおいて、前記測定回路が、前記電気信号が前記ＲＴＤを迂回した状態で当該ＲＴＤの電圧を測定する、システム。
【請求項１７】
前記定電圧源または前記定電流源が、前記非較正モードにおいて前記ＲＴＤおよび前記基準抵抗に対して同一の電流を伝える請求項１６に記載のシステム。
【請求項１８】
前記測定回路が、前記ＲＴＤの前記抵抗の値を、前記第１および第２の電圧に基づいて決定し、当該結果を用いて前記制御ユニットが前記温度を調整する請求項１６に記載のシステム。
【請求項１９】
前記測定回路が、前記ＲＴＤおよび前記基準抵抗における複数の電圧を実質的に同時に測定する、請求項１６に記載のシステム。
【請求項２０】
前記測定回路が、アナログデジタル変換器を備える、請求項１６に記載のシステム。
【請求項２１】
前記アナログデジタル変換器が、マルチポートアナログデジタル変換器である、請求項２０に記載のシステム。
【発明の詳細な説明】
【技術分野】
【０００１】
本願は、本願と同日に出願された、米国出願番号［代理人記録簿番号：４２Ｐ１５５９７］「遠隔基準抵抗」に関連する。
【０００２】
本発明の複数の実施形態は、一般的には、調節可能な光学デバイスに関し、より具体的だが非限定的には、調節可能な光学装置における温度調節素子における温度感知に関する。
【背景技術】
【０００３】
複数の調節可能な外部共振器レーザ（「ＥＣＬ」）は、光波試験および測定装置において幅広く用いられており、急速に拡大する波長分割多重化（「ＷＤＭ」）光通信の分野にとって必須の複数の要素として認識され始めている。この分野内において行われる数多くの応用の際には、数多くの互いに異なる複数の組の性能仕様が必要であるが、いくつかの典型的な必要条件は以下の通りである。光学機械アセンブリおよび制御システムが小さな形式要素であること、出力レーザ波長に対する制御、レーザアセンブリの信頼性、および製作コストが安価であることである。
なお、本出願に対応する外国の特許出願においては下記の文献が発見または提出されている。
【特許文献１】米国特許第５９３６９８７号明細書
【特許文献２】英国特許第９３６６１３号明細書
【発明の開示】
【発明が解決しようとする課題】
【０００４】
１つのＥＣＬのレーザ光線を発する中心波長を選択的に調節する１つの既知の方法は、１つの楔形状の光学フィルタをレーザビームの経路内に設置することである。楔形フィルタを光路に渡って移動させることによって、調節を得る。調節は、レーザビームと交差する楔形状フィルタの厚みの違いに起因して生じる。代わりに、１つの平らな光学フィルタをレーザビーム経路内で回転させると、レーザビームが光学フィルタを介して横切らなければならない経路長を調整することによって、所望の調節効果を得るだろう。
【０００５】
１つのＥＣＬを調節する複数のこれらの方法は、ある応用においては望ましくない。なぜなら、これらの方法は、モータなどの１つの機械的なアクチュエータを設置して、光学フィルタの所望の変換または回転を生じさせることを必要とするからである。ＥＣＬモジュール内に１つのモータを設置すると、１つのＥＣＬを含む他の高感度の光学要素を破壊し、破壊電磁障害を生じさせることがある。さらに、モータは、今日の複数のＥＣＬモジュールを小型化するための必要条件に対して１つの厳しい制約となる。複数の小さなモータは、比較的高価なことがあり、可動部品を伴う任意の機械デバイスの使用は、固定された機械的および電子的な代替物に比べて信頼性が低い傾向にある。
【発明を実施するための最良の形態】
【０００６】
本発明の複数の非制限的かつ非網羅的な実施形態を、以下の図面を参照して説明する。そこにおいて、様々な図面全体に渡って、複数の同様の参照符号は、特に指定されていない限り、複数の同様の部分を指す。
【０００７】
以下の詳細な説明において、多数の具体的な詳細を示す。しかしながら、本発明の複数の実施形態は、これらの具体的な詳細がなくても実施されてもよいことが理解される。他の複数の場合において、既知の複数の回路、複数の構造、複数の技法は、この説明の理解を不明瞭にしないために、詳細に示されていない。これらの複数の実施形態は、当業者が本発明を実施できるのに充分に説明される。したがって、以下の詳細な説明は、１つの限定的な意味で受け取られるべきものではなく、本発明の範囲は、添付の複数のクレームによってのみ規定される。
【０００８】
図１は、本発明の一実施形態に係る調整可能な光学ユニット１００を示す。調節可能な光学ユニット１００は、１つの選択された波長で動作するために調整可能である（例えば、１つの光学フィルタ、１つの光送信器、１つの光受信器、または他の光学デバイスとして）。本実施形態において、調節可能な光学ユニット１００は、１つの励起源１０２と、１つの抵抗温度デバイス（ＲＴＤ）１６を有する１つの温度調節部品１０４と、１つの基準抵抗１０８と、１つの測定回路１１０とを含む。いくつかの複数の実施形態において、ＲＴＤ１０６は、薄膜堆積処理による温度調節部品１０４の１つの必須の部分であってもよい。他の実施形態において、ＲＴＤ１０６は、１つのサーミスタを用いて実施されてもよい。
【０００９】
一実施形態において、励起源１０２は、例えば１つの選択された電圧信号または１つの選択された電流信号のような、１つの電気信号を出力する。ＲＴＤ１０６は、温度と共に変化する１つの抵抗を有する１つのデバイスである。一実施形態において、ＲＴＤ１０６は、プラチナから形成された１つの構成を用いて実施され、プラチナは、１つの比較的大きな温度範囲に渡るその温度に直線的に関連する１つの抵抗を有利に有し、それによって調節動作を簡素化している。基準抵抗１０８は、既知の抵抗を有する１つの抵抗デバイスである。一実施形態において、基準抵抗は、カリフォルニア州サンタクララのビシェイ社から入手可能なモデルＶＳＭ０８０５抵抗器のような、１つの精密低音係数抵抗器を用いて実施される。測定回路１１０は、抵抗、電圧、電流などの１つの電気パラメータを測定するように設計された１つの回路である。
【００１０】
本実施形態において、励起源１０２は、ＲＴＤ１０６の１つのノード１１４に接続された１つの出力リード線を有する。ＲＴＤ１０６は、１つの配線１１７を介して基準抵抗１０８の１つのノード１１６に接続された他のノード１１５を有した。この状況において用いられたように、１つの配線は、１つ以上の導電相互接続または１つのバスのことを指しうる。基準抵抗１０８は、１つの配線１１９を介して１つの供給線Ｖ２（例えば、接地）に接続された他のノード１１８を有する。配線１２１および１２２は、それぞれ、ＲＴＤ１０６のノード１１４および１１５を測定回路１１０の１つの入力ポート１２３に接続する。同様に、配線１２４および１２５は、それぞれ、基準抵抗のノード１１６および１１８を測定回路１１０の１つの入力ポート１２６に接続する。測定回路１１０は、１つの配線１２８において１つの出力信号を与える。
【００１１】
一実施形態において、配線１２８は、１つの制御回路（図示せず）に接続される。調節可能な光学ユニット１１０は、１つの選択された波長について動作を調整する際に、図１および２に関連して以下に説明するように動作する。
【００１２】
図２は、本発明の一実施形態に係る、調節可能な光学ユニット１００（図１）の１つの動作フローを示す。図１および２を参照して、調節可能な光学ユニット１００は以下のように動作する。
【００１３】
１つの調節動作において、１つの励起信号は、温度調節部品１０４のＲＴＤ１０６を伝播する。一実施形態において、励起源１０２は、励起信号を出力し、励起信号は、配線１１３を介してＲＴＤ１０６のノード１１４に伝播する。例えば、いくつかの複数の実施形態において、励起源は、１つの定電圧源または１つの定電流源であってもよく、１つの電気信号をＲＴＤ１０６に与える。ＲＴＤ１０６は、その後、励起信号をノード１１５を介して配線１１７に伝播する。いくつかの複数の実施形態において、励起信号は、その後、配線１１７を介して基準抵抗１０８のノード１１６に伝播し、基準抵抗を通ってノード１１８に伝播して、配線１１９を介して供給線Ｖ２へ伝播する。動作フローは、図２の１つのブロック２０１に表される。
【００１４】
その後、ＲＴＤ１０６から影響される励起信号の１つの電気パラメータが感知される。本実施形態において、測定回路１１０は、選択された電気パラメータを感知する。例えば、一実施形態において、測定回路１１０は、配線１２１および１２２を介するＲＴＤ１０６の両端における電圧降下を測定する。一実施形態において、測定回路１１０は、電圧をサンプリングし、電圧降下に対応する１つのデジタル値を生成し、デジタル値をバッファリングして必要な場合に配線１２８を介して出力させることができる。いくつかの複数の実施形態において、基準抵抗１０８によって影響される励起信号の１つの電気パラメータも感知される。例えば、測定回路１１０は、ＲＴＤ１０６の両端における電圧降下を測定するための上述と同様の方法で、配線１２４および１２５を介する基準抵抗１０８の両端における電圧降下も測定することができる。この動作フローは、図２の１つのブロック２０３によって表される。
【００１５】
その後、温度調整部品１０４の温度が、感知された（複数の）電気パラメータの１つの関数として制御される。本実施形態において、測定回路１１０は、感知された電気パラメータに依存する１つの信号を配線１２８を介して出力し、当該信号は、その後、他の回路（図示せず）によって用いられて、温度調節部品１０４の温度を１つの所望のレベルに調整する。例えば、調節可能な光学ユニット１００は、１つの選択された波長の光信号を送信する１つの光送信器であってもよい。温度調節部品１０４の温度は、フィードバックループを介して制御されて、出力光信号の波長を所望の波長に維持するようにしてもよい。
【００１６】
測定装置１１０がＲＴＤ１０６および基準抵抗１０８の両端における電圧降下を測定するいくつかの複数の実施形態において、ＲＴＤ１０６の抵抗は、１つの定電流の励起信号を用いて、ＲＴＤ１０６の両端における電圧降下を基準抵抗１０８の両端における電圧降下で除算することによって、レシオメトリックに決定することができる。他の複数の実施形態において、励起信号は、低電圧であってもよい。基準電圧１０８の抵抗値は比較的正確にわかり、電流は共用されるので、電流値は割合から相殺される。よって、都合のよいことには、ＲＴＤ１０６の抵抗を決定するには、電流値が既知である必要はない。さらに、レシオメトリック測定は、励起信号の複数の変動および雑音に対して比較的感度が悪い。
【００１７】
加えて、電圧測定は配線１２１および１２２間の差の測定であるので、測定回路１１０は、配線１２１および１２２上の一般モード雑音に対して比較的感度が悪い。
【００１８】
ＲＴＤ１０６の抵抗は温度に対応するので、温度調節部品１０４の温度が決定できる。したがって、既知の制御システム手法を用いて、温度調節部品１０４を電圧測定を用いて調整することができるこの動作フローは、図２の１つのブロック２０５によって表される。
【００１９】
図３は、本発明の一実施形態に係る、１つの温度調節されたレーザ３００、すなわち、実質上、調節可能な光学ユニット１００（図１）の一実施例を示す。本実施形態において、温度調節されたレーザ３００は、調節可能な光学ユニット１００（図１）におけるのと同様に、励起源１０２と、基準抵抗１０８と、測定回路１１０とを含む。加えて、温度調節されたレーザ３００は、反射体３０２および３０３によって規定された１つのレーザ光路３０１と、温度調節部品１０４Ａ及び１０４Ｂ（それぞれ、図１に関連して上述した温度調節部品１０４に実質的に同様である）と、１つの電圧基準３０５と、１つのスイッチ３０６と、アナログデジタル（ＡＤＣ）回路３０８とを含む。本実施形態において、１つの較正抵抗３０９が含まれるが、複数の他の実施形態では省略可能である。本実施形態において、温度調節部品１０４Ａおよび１０４Ｂ（それぞれＲＴＤ１０６Ａおよび１０６Ｂを含む）は、複数の温度調節された光学フィルタである。スイッチ３０６は、１つの共通端子と、１つの第１の出力端子と、１つの第２の出力端子とを有する。
【００２０】
本実施形態において、電圧基準３０５およびスイッチ３０６は、励起源１０２の部分であり、電圧基準３０５は、その出力端子がスイッチ３０６の共通端子に接続されている。励起源が配線１１３を１つの実質的に一定の電圧に選択的に維持できるように、スイッチ３０６の第１の出力端子は配線１１３に接続される。スイッチ３０６の第２の出力端子は、本実施形態において、配線１１７に接続される。
【００２１】
ＲＴＤ１０６Ａおよび１０６Ｂは、レーザ光路３０１に配置され、配線３１７を介して直列に接続される。特に、ＲＴＤ１０６Ａは、配線１１３に接続された１つのノードと、配線３１７に接続された他の１つのノードとを有する。ＲＴＤ１０６Ｂは、配線３１７に接続された１つのノードと、配線１１７に接続された他の１つのノードとを有する。基準抵抗１０８は、配線１１７に接続され、本実施形態において、配線１１９を介して接地される。
【００２２】
本実施形態において、ＡＤＣ回路３０８は、測定回路１１０の一部であり、測定回路１１０は、配線１２１Ａおよび１２２Ａを介してＲＴＤ１０６に接続され、配線１２１Ｂ及び１２２Ｂを介してＲＴＤ１０６Ｂに接続される。加えて、測定回路１１０は、配線１２８を介して（本実施形態において、温度調節されたレーザ３００の外側にある）１つの制御ユニット３１０に接続される。制御ユニット３１０は、１つの配線３１９を介して温度調節された光学フィルタ１０４Ａおよび１０４Ｂに接続される。いくつかの複数の実施形態において、制御ユニット３１０は、ファームウェアおよびソフトウェアを含んで、（以下に説明するものを含む）所望の複数の制御機能を行う、プロセッサベースのユニットである。
【００２３】
１つの調節動作において、温度調節されたレーザ３００は、調節可能な光学ユニット１００（図１）に関して上述したようなものと実質的に同様のやり方で動作する。いくつかの複数の実施形態において、制御ユニット３１０は、温度調節された光学フィルタ１０４Ａおよび１０４Ｂの温度を感知して、互いに異なる温度を有するように制御することができる。このように、レーザ出力の波長は、制御できる。
【００２４】
より具体的には、本実施形態において、制御回路３１０は、較正抵抗は開路のままとしつつ、スイッチ３０６が電圧基準３０５の出力端子を結合するようにする。よって、基準抵抗１０８およびＲＴＤ１０６Ａおよび１０６Ｂは直列に結合して、実施的に同一の電流を通す。これら複数の部品を通る電流のあらゆる違いは、１つの較正動作（以下に説明する一実施形態）において説明できる。ＡＤＣ回路３０８は、基準抵抗１０８、ＲＴＤ１０６Ａ、およびＲＴＤ１０６Ｂの各両端における電圧降下を測定する。いくつかの複数の実施形態において、ＡＤＣ回路３０８は、１つのマルチポートＡＤＣを含み、他方で他の複数の実施形態において、ＡＤＣ回路３０８は、３ポート多重器を伴う１つの単一のＡＤＣを含んで、これら３つの部品の両端における電圧降下を選択的に測定する。調節可能な光学ユニット１００（図１）について上述したように、ＲＴＤ１０６Ａおよび１０６Ｂの電圧降下（よって抵抗）は、上述のレシオメトリック手法を用いて正確に測定することができ、その結果、レーザ出力が所望の（複数の）波長を有するように、温度調節された複数の光学フィルタの温度を制御するように用いられる。さらに、いくつかの複数の実施形態において、励起信号における複数の変動および／または雑音は両方の測定において共通するように、電圧降下は、実質的に同時に測定され、複数のレシオメトリック測定手法を介する相殺に対処できる。
【００２５】
本実施形態において、温度調節されたレーザ３００は、較正動作を行うことができる。１つの較正動作において、制御ユニット３１０は、スイッチ３０６が電圧基準３０５の出力端子を配線１１７に接続するようにさせ、それにより、ＲＴＤ１０６ＡおよびＲＴＤ１０６Ｂを迂回して、１つの既知の抵抗を有する較正抵抗３０９にこれらを置き換える。励起源１０２および基準抵抗１０８が、非較正モードにおけるのと同じように、較正モードにおいて実質的に同様の状態を経験するように、較正抵抗３０９が与えられる。その後、測定回路１１０は、ＲＴＤ１０６Ａおよび１０６の両端における複数の電圧を測定する。測定された複数の電圧は、ＡＤＣ回路３０８における漏れおよび相互接続抵抗によって、同様である。測定回路１１０は、電圧測定デバイスを用いて、電流の実質的にどの部分も当該電圧測定デバイスを通して伝わらないように基準抵抗の両端における電圧を測定してもよい。制御ユニット３１０は、非較正動作中にこれら複数の測定値を用いて、より精度を向上させることができる。他の複数の実施形態において、他の複数の較正のやり方が用いられてもよい。
【００２６】
図４は、本発明の一実施形態に係る、温度調整された光学フィルタ１０４Ａ（図３）を示す。本実施形態において、温度調節された光学フィルタ１０４Ａは、温度調節された１つのエタロン４０１と、１つの加熱器ユニット４０３と、１つの光信号伝播領域４０６（複数の点線で示す）を囲むようにエタロン４０１の１つの表面上に配置された１つの加熱器部品４０４とを含む。本実施形態において、ＲＴＤ１０６Ａは、エタロン４０１の同一の表面上に配置され、加熱器部品４０４を実質的に囲む。一実施形態において、ＲＴＤ１０６は、従来の堆積および写真食刻手法を用いて、エタロン４０１の表面上に掲載されたプラチナからなる。
【００２７】
図５は、本発明の一実施形態に係る、図３の温度調整されたレーザを用いる１つの光通信システムを示す１つのブロック図である。
【００２８】
調節可能な光学デバイスの温度調節部品の温度感知のための方法および装置の複数の実施形態をここに説明する。上述の説明において、（複数のＲＴＤを実施するために用いられる材料、温度を正確に測定するための手法など）数多くの特定の詳細を示して、本発明の複数の実施形態の１つの完全な理解を提供する。しかしながら、本発明の複数の実施形態は、１つ以上の特定の詳細がなく、または他の複数の方法、構成要素、材料などと共に、実施可能であることを、当業者は認識するであろう。他の複数の場合において、説明を不明瞭にするのを避けるため、周知の構造、材料、または動作は、示さず、または詳細に説明されていない。
【００２９】
本明細書を通して、「一実施形態」または「１つの実施形態」という言及は、実施形態に関連して説明された特定の１つの特色、構成、または特徴が本発明の少なくとも一実施形態に含まれることを意味する。よって、「一実施形態において」または「１つの実施形態において」という句が、本明細書を通して様々な箇所で登場するのは、必ずしもすべて同一の実施形態を指しているものではない。さらに、特定の特色、構造、または特徴は、１以上の実施形態において、あらゆる適切なやり方で組み合わせられてもよい。
【００３０】
加えて、本説明の複数の実施形態は、１つの半導体チップ内においてのみでなく、機械読み取り可能な媒体内においても実施されてもよい。例えば、上述のような設計が、複数の半導体デバイスを設計するために用いられる１つの設計ツールに関連した機械読み取り可能な複数の媒体内に格納または埋め込まれていてもよい。複数の例としては、ＶＨＳＩＣハードウェア記述言語（ＶＨＤＬ）言語、ベリログ言語、またはＳＰＩＣＥ言語でフォーマット化された１つのネットリストが含まれる。いくつかの複数のネットリストの例としては、１つの挙動レベルネットリスト、１つのレジスタ転送レベル（ＲＴＬ）ネットリスト、１つのゲートレベルネットリスト、および１つのトランジスタレベルネットリストが挙げられる。機械読み取り可能な複数の媒体としては、ＧＤＳ−ＩＩファイルのようなレイアウト情報を有する複数の媒体も含まれる。さらに、複数のネットリストファイルまたは他の半導体チップ設計のための複数の機械読み取り可能な媒体は、模擬環境において用いられて、上述の複数の教示の複数の方法を行ってもよい。
【００３１】
よって、本発明の複数の実施形態を、（１つのコンピュータのＣＰＵのような）処理コアのある形式に対して実行されるか、またはそうでなければ機械読み取り可能な１つの媒体上またはその内部において実施または実現される、１つのソフトウェアとしてまたはそれを支援するように用いてもよい。機械読み取り可能な媒体には、１つの機械が読み取り可能な１つの形式で情報を格納または送信するためのいかなる機構が含まれる。例えば、１つの機械読み取り可能な媒体としては、１つの読み出し専用メモリ（ＲＯＭ）、１つのランダムアクセスメモリ（ＲＡＭ）、１つの磁気ディスク格納媒体、１つの光学格納媒体、およびフラッシュメモリデバイスなどが含まれる。加えて、１つの機械読み取り可能な媒体としては、電気、光、音、または他の形式のような、複数の伝播信号が含まれる（例えば、複数の搬送波、複数の赤外線信号、複数のデジタル信号など）。
【００３２】
要約書において説明されたものを含む、本発明の図解した複数の実施形態の上記説明は、網羅的または開示された厳密な形式に対する制約を意図するものではない。本発明の特定の複数の実施形態およびそのための例を例示の目的でここに説明してきたが、該当技術の当業者が認識するように、様々な等価の複数の修正が可能である。
【００３３】
これらの複数の修正は、上記詳細な説明に照らして、本発明の複数の実施形態に対して行うことができる。以下の複数の請求項において用いられる複数の用語は、本明細書および複数の請求項において開示された特定の複数の実施形態に限定するものと解釈されるべきではない。むしろ、範囲は、以下の複数の請求項によって全体的に決定されるべきものであり、請求項解釈の確立された複数の見解に従って解釈されるべきものである。
【図面の簡単な説明】
【００３４】
【図１】本発明の一実施形態に係る１つの調節可能な光学ユニットを示す１つのブロック図である。
【図２】本発明の一実施形態に係る、図１の調節可能な光学ユニットの１つの動作フローを示す１つのブロック図である。
【図３】本発明の一実施形態に係る、図１の調節可能な光学ユニットの１つの温度調節されたレーザの実施を示す１つのブロック図である。
【図４】本発明の一実施形態に係る、図３の１つの温度調節された光学フィルタの１つの温度調節されたエタロンを示す１つのブロック図である。
【図５】本発明の一実施形態に係る、図３の温度調節されたレーザを用いる１つの光通信システムを示す１つのブロック図である。
【図１】
0004659459.tif 000002
【図２】
0004659459.tif 000003
【図３】
0004659459.tif 000004
【図４】
0004659459.tif 000005
【図５】
0004659459.tif 000006